【手続補正書】
【提出日】平成16年8月20日(2004.8.20)
【手続補正１】
【補正対象書類名】明細書
【補正対象項目名】発明の名称
【補正方法】変更
【補正の内容】
【発明の名称】オーディオ信号のエンコード方法、オーディオ信号送信受信方法及びコンピュータプログラムの記録媒体
【手続補正２】
【補正対象書類名】明細書
【補正対象項目名】特許請求の範囲
【補正方法】変更
【補正の内容】
【特許請求の範囲】
【請求項１】
アナログオーディオ信号をＡ／Ｄ変換してオーディオデータを生成するステップと、
複数のオーディオオブジェクト（ＡＯＢ）を含むオーディオタイトルセット（ＡＴＳ）と、スチルピクチャセット（ＳＰＳ）とを有し、
前記オーディオオブジェクト（ＡＯＢ）が、
実データとして前記オーディオデータを有する第１のパックのみにより構成された第１のオーディオ・セル（ＡＴＳ−Ｃ）から構成される第１のオーディオオブジェクト（ＡＯＢ）と、
前記第１のパック、及び実データとして前記オーディオデータに関するリアルタイムインフォメーションデータを有する第２のパックにより構成された第２のオーディオ・セル（ＡＴＳ−Ｃ）から構成される第２のオーディオオブジェクト（ＡＯＢ）の２種類で構成され、さらに、前記スチルピクチャセット（ＳＰＳ）が前記オーディオデータに関するスチルピクチャデータを含む第３のパックを有し、
前記オーディオタイトルセット（ＡＴＳ）が前記複数のオーディオオブジェクト（ＡＯＢ）をその再生順に再生するための制御情報であって前記第１のオーディオ・セルと第２のオーディオ・セルを再生制御するためのオーディオ・セル・プレイバック・インフォメーション（ＡＴＳ−Ｃ−ＰＢＩ）を有する制御情報（ＡＴＳ−ＰＧＣＩＴ）を含むオーディオタイトルセット・インフォメーション（ＡＴＳＩ）を有しており、
前記第１のオーディオオブジェクト（ＡＯＢ）を構成するオーディオ・セル（ＡＴＳ−Ｃ）のオーディオデータがサイレンス用のオーディオデータのみからなる場合にそれを識別可能とするセル要素識別データ（ＡＴＳセル要素）を前記オーディオ・セル・プレイバック・インフォメーション（ＡＴＳ−Ｃ−ＰＢＩ）に収納する、データ構造にフォーマット化するステップとを、
有するオーディオ信号のエンコード方法。
【請求項２】
請求項１に記載のオーディオ信号のエンコード方法によりエンコードされて生成されたデータ構造のデータを送信または受信するオーディオ信号送信受信方法であって、前記データを所定の通信フォーマットに変換して送信し、または前記所定の通信フォーマットに変換されたデータを受信して元のデータに復元するステップと、からなるオーディオ信号送信受信方法。
【請求項３】
請求項１に記載のオーディオ信号のエンコード方法によりエンコードされて生成されたデータ構造が記録されたデータをデコードするコンピュータプログラムが記録されたコンピュータプログラムの記録媒体であって、
前記記録されたオーディオタイトルセット（ＡＴＳ）に配置されるオーディオタイトルセット・インフォメーション（ＡＴＳＩ）から前記スチルピクチャデータをページ制御する制御情報（ＳＰＣＩＴ）とオーディオ・セル・プレイバック・インフォメーション（ＡＴＳ−Ｃ−ＰＢＩ）を有するオーディオオブジェクト（ＡＯＢ）の制御情報（ＡＴＳ−ＰＧＣＩＴ）をデコードする第１のデコードのステップと、
前記記録されたオーディオタイトルセット（ＡＴＳ）に配置される第１のパック、及び第２のパック、さらにスチルピクチャセット（ＳＰＳ）に配置される第３のパックからそれぞれオーディオデータ、リアルタイムインフォメーションデータ、及びスチルピクチャデータをデコードする第２のデコードのステップと、
前記第１のデコードのステップから取り出されたオーディオ・セル・プレイバック・インフォメーション（ＡＴＳ−Ｃ−ＰＢＩ）を有するオーディオオブジェクト（ＡＯＢ）の制御情報（ＡＴＳ−ＰＧＣＩＴ）に基づいて、前記第２のデコードのステップで取り出されたオーディオデータとリアルタイムインフォメーションデータを、セル単位に制御して出力すると共に、前記第１のデコードのステップから取り出された前記スチルピクチャデータをページ制御する制御情報（ＳＰＣＩＴ）に基づいて前記第２のデコードのステップで取り出されたスチルピクチャデータを制御して出力するステップとを、
有するコンピュータプログラムの記録媒体。
【手続補正３】
【補正対象書類名】明細書
【補正対象項目名】０００１
【補正方法】変更
【補正の内容】
【０００１】
【発明の属する技術分野】本発明は、オーディオ信号のエンコード方法、オーディオ信号送信受信方法及びコンピュータプログラムの記録媒体に関する。
【手続補正４】
【補正対象書類名】明細書
【補正対象項目名】０００６
【補正方法】変更
【補正の内容】
【０００６】
そこで、本発明は、オーディオ信号を主として記録する場合にユーザにとって簡易に再生することができて使い勝手がよく、また、実時間の管理を簡単にすることができるオーディオ信号のエンコード方法、オーディオ信号送信受信方法及びコンピュータプログラムの記録媒体を提供することを目的とする。
【手続補正５】
【補正対象書類名】明細書
【補正対象項目名】０００７
【補正方法】変更
【補正の内容】
【０００７】
【課題を解決するための手段】
本発明は上記目的を達成するために、以下の１）〜３）に記載の手段よりなる。
すなわち、
【手続補正６】
【補正対象書類名】明細書
【補正対象項目名】０００８
【補正方法】変更
【補正の内容】
【０００８】
１）アナログオーディオ信号をＡ／Ｄ変換してオーディオデータを生成するステップと、
複数のオーディオオブジェクト（ＡＯＢ）を含むオーディオタイトルセット（ＡＴＳ）と、スチルピクチャセット（ＳＰＳ）とを有し、
前記オーディオオブジェクト（ＡＯＢ）が、
実データとして前記オーディオデータを有する第１のパックのみにより構成された第１のオーディオ・セル（ＡＴＳ−Ｃ）から構成される第１のオーディオオブジェクト（ＡＯＢ）と、
前記第１のパック、及び実データとして前記オーディオデータに関するリアルタイムインフォメーションデータを有する第２のパックにより構成された第２のオーディオ・セル（ＡＴＳ−Ｃ）から構成される第２のオーディオオブジェクト（ＡＯＢ）の２種類で構成され、さらに、前記スチルピクチャセット（ＳＰＳ）が前記オーディオデータに関するスチルピクチャデータを含む第３のパックを有し、
前記オーディオタイトルセット（ＡＴＳ）が前記複数のオーディオオブジェクト（ＡＯＢ）をその再生順に再生するための制御情報であって前記第１のオーディオ・セルと第２のオーディオ・セルを再生制御するためのオーディオ・セル・プレイバック・インフォメーション（ＡＴＳ−Ｃ−ＰＢＩ）を有する制御情報（ＡＴＳ−ＰＧＣＩＴ）を含むオーディオタイトルセット・インフォメーション（ＡＴＳＩ）を有しており、
前記第１のオーディオオブジェクト（ＡＯＢ）を構成するオーディオ・セル（ＡＴＳ−Ｃ）のオーディオデータがサイレンス用のオーディオデータのみからなる場合にそれを識別可能とするセル要素識別データ（ＡＴＳセル要素）を前記オーディオ・セル・プレイバック・インフォメーション（ＡＴＳ−Ｃ−ＰＢＩ）に収納する、データ構造にフォーマット化するステップとを、
有するオーディオ信号のエンコード方法。
２）１）に記載のオーディオ信号のエンコード方法によりエンコードされて生成されたデータ構造のデータを送信または受信するオーディオ信号送信受信方法であって、前記データを所定の通信フォーマットに変換して送信し、または前記所定の通信フォーマットに変換されたデータを受信して元のデータに復元するステップと、からなるオーディオ信号送信受信方法。
３）１）に記載のオーディオ信号のエンコード方法によりエンコードされて生成されたデータ構造が記録されたデータをデコードするコンピュータプログラムが記録されたコンピュータプログラムの記録媒体であって、
前記記録されたオーディオタイトルセット（ＡＴＳ）に配置されるオーディオタイトルセット・インフォメーション（ＡＴＳＩ）から前記スチルピクチャデータをページ制御する制御情報（ＳＰＣＩＴ）とオーディオ・セル・プレイバック・インフォメーション（ＡＴＳ−Ｃ−ＰＢＩ）を有するオーディオオブジェクト（ＡＯＢ）の制御情報（ＡＴＳ−ＰＧＣＩＴ）をデコードする第１のデコードのステップと、
前記記録されたオーディオタイトルセット（ＡＴＳ）に配置される第１のパック、及び第２のパック、さらにスチルピクチャセット（ＳＰＳ）に配置される第３のパックからそれぞれオーディオデータ、リアルタイムインフォメーションデータ、及びスチルピクチャデータをデコードする第２のデコードのステップと、
前記第１のデコードのステップから取り出されたオーディオ・セル・プレイバック・インフォメーション（ＡＴＳ−Ｃ−ＰＢＩ）を有するオーディオオブジェクト（ＡＯＢ）の制御情報（ＡＴＳ−ＰＧＣＩＴ）に基づいて、前記第２のデコードのステップで取り出されたオーディオデータとリアルタイムインフォメーションデータを、セル単位に制御して出力すると共に、前記第１のデコードのステップから取り出された前記スチルピクチャデータをページ制御する制御情報（ＳＰＣＩＴ）に基づいて前記第２のデコードのステップで取り出されたスチルピクチャデータを制御して出力するステップとを、
有するコンピュータプログラムの記録媒体。